(57)【要約】【課題】グリル庫を省略したコンロであって、既存の部品を利用すると共に、筐体の強度を維持できるコンロを提供する。【解決手段】グリル庫を省略したコンロでは、筐体２の前側下部に設けた底板部に、右支柱部及び左支柱部が立設される。右支柱部及び左支柱部は、グリル庫が設置された場合のグリル庫のグリル開口の左右両側に配置される。左側梁部５２は、左支柱部の上端部と、後板部２３の左側の支持片２４２の間に固定される。右側梁部５１は、右支柱部の上端部と、後板部２３の右側の支持片２３２の間に固定される。バーナ取付台３５は、右側梁部５１と右板部２１の間に架設され、バーナ取付台３６は、左側梁部５２と左板部２２の間に架設される。よって、グリル付コンロの既存の部品である筐体２、バーナ取付台３５，３６、右コンロ４、左コンロ５等を、グリル庫を省略したコンロにも転用できる。【選択図】図１２
2019215114.tif 000002
【特許請求の範囲】
【請求項１】
後板部と、左板部と、右板部と、前記左板部及び前記右板部の夫々の下端部のうち少なくとも前端側同士を繋げる底板部とを備え、前記後板部の左右二箇所には、貫通孔と、貫通孔の周縁の一部から貫通孔前方に向かって突出する突出片とが設けられ、前記突出片には、グリル庫を取り付ける場合に前記グリル庫の後部の左右二箇所に設けられた固定部が固定される筐体と、
前記グリル庫を前記筐体内に設置する場合に、前記左板部と前記グリル庫の左端部との間、及び前記右板部と前記グリル庫の右端部との間に夫々架設される一対の取付台と、
前記一対の取付台上に夫々取り付けられるコンロバーナと、
を備えたコンロにおいて、
前記グリル庫を前記筐体内に設置しない場合にあっては、
前記底板部に立設され、前記グリル庫が設置された場合の前記グリル庫の前側に設けられたグリル開口の左右両側に配置される左支柱部及び右支柱部と、
前記筐体の内側を前後方向に延び、前記左支柱部の上端部と、前記左右二箇所に設けられた前記突出片のうち、左側の前記突出片との間に架け渡して固定される左側梁部と、
前記筐体の内側を前後方向に延び、前記右支柱部の上端部と、前記左右二箇所に設けられた前記突出片のうち、右側の前記突出片との間に架け渡して固定される右側梁部と
を備え、
前記一対の取付台は、
前記左側梁部と前記左板部との間、及び前記右側梁部と前記右板部との間に、夫々架設されることを特徴とするコンロ。
【請求項２】
前記左側梁部と前記右側梁部の間に架設される横梁部を備え、
前記一対の取付台と前記横梁部は、平面視左右方向に延びる直線上に配置されていること
を特徴とする請求項１に記載のコンロ。
【請求項３】
前記一対の取付台と前記横梁部は、互いに同一高さ位置に設けられること
を特徴とする請求項２に記載のコンロ。
【発明の詳細な説明】
【技術分野】
【０００１】
本発明は、コンロに関する。
【背景技術】
【０００２】
従来、グリル付きのテーブルコンロでは、グリル庫の左右両側の端部と、筺体の端部との間に載置台を架設し、この載置台上にコンロバーナを固定するように構成されている（例えば、特許文献１参照）。一方、このようなグリル付きのテーブルコンロに対し、グリル庫を省略したより安価なテーブルコンロのニーズもある。
【先行技術文献】
【特許文献】
【０００３】
【特許文献１】特開２０１７−４４３７０号公報
【発明の概要】
【発明が解決しようとする課題】
【０００４】
しかしながら、グリル庫を省略したテーブルコンロの場合、載置台を支持するグリル庫が無くなるので、コンロバーナを支持できなくなる。そこで、仮にコンロバーナを支持する機構を別途設計しようとした場合、グリル庫を省略したテーブルコンロのニーズ数が、グリル付きのテーブルコンロのニーズ数よりも大幅に少ないことから、グリル庫を省略したテーブルコンロを安価に提供することが困難であった。よって、可能な限り、グリル付きのテーブルコンロの既存の部品を利用して、グリル庫を省略したテーブルコンロを設計するのが望ましいが、グリル庫を省略してしまうと、その部分が空間部となるので、筐体の強度を維持できないという問題点もあった。
【０００５】
本発明の目的は、グリル庫を省略したコンロであっても、既存の部品を利用できると共に、筐体の強度を維持できるコンロを提供することである。
【課題を解決するための手段】
【０００６】
請求項１のコンロは、後板部と、左板部と、右板部と、前記左板部及び前記右板部の夫々の下端部のうち少なくとも前端側同士を繋げる底板部とを備え、前記後板部の左右二箇所には、貫通孔と、貫通孔の周縁の一部から貫通孔前方に向かって突出する突出片とが設けられ、前記突出片には、グリル庫を取り付ける場合に前記グリル庫の後部の左右二箇所に設けられた固定部が固定される筐体と、前記グリル庫を前記筐体内に設置する場合に、前記左板部と前記グリル庫の左端部との間、及び前記右板部と前記グリル庫の右端部との間に夫々架設される一対の取付台と、前記一対の取付台上に夫々取り付けられるコンロバーナと、を備えたコンロにおいて、前記グリル庫を前記筐体内に設置しない場合にあっては、前記底板部に立設され、前記グリル庫が設置された場合の前記グリル庫の前側に設けられたグリル開口の左右両側に配置される左支柱部及び右支柱部と、前記筐体の内側を前後方向に延び、前記左支柱部の上端部と、前記左右二箇所に設けられた前記突出片のうち、左側の前記突出片との間に架け渡して固定される左側梁部と、前記筐体の内側を前後方向に延び、前記右支柱部の上端部と、前記左右二箇所に設けられた前記突出片のうち、右側の前記突出片との間に架け渡して固定される右側梁部とを備え、前記一対の取付台は、前記左側梁部と前記左板部との間、及び前記右側梁部と前記右板部との間に、夫々架設されることを特徴とする。
【０００７】
請求項２のコンロは、請求項１に記載の発明の構成に加え、前記左側梁部と前記右側梁部の間に架設される横梁部を備え、前記一対の取付台と前記横梁部は、平面視左右方向に延びる直線上に配置されているとよい。
【０００８】
請求項３のコンロは、請求項２に記載の発明の構成に加え、前記一対の取付台と前記横梁部は、互いに同一高さ位置に設けられるとよい。
【発明の効果】
【０００９】
請求項１のコンロによれば、既存のグリル庫を取り付ける筐体と、取付台及びコンロバーナ等をグリル庫無しのコンロにも転用できるので、新規部品を減らすことができ、コストが高くなるのを防止できる。既存の部品を転用できるので、既存の部品の量産を通じてコスト削減ができる。また、右側梁部と左側梁部が、筐体の後板部と、底板部に立設された右支柱部及び左支柱部との間に架設され、筐体の内側を前後方向に延びているので、筐体の強度を維持できる。なお、本発明の「グリル庫」とは、そのグリル庫の上部を覆う遮熱板を備える場合は、グリル庫と遮熱板を合わせたユニット（本実施形態の「グリルユニット４０」）を意味する。
【００１０】
請求項２のコンロによれば、請求項１に記載の発明の効果に加え、左側梁部と右側梁部の間に横梁部を架設することで、グリル庫を省略した場合であっても、筺体の強度をさらに向上できる。そして、一対の取付台と横梁部は、平面視左右方向に延びる直線上に配置されているので、筐体に対して左右方向に外力が加えられた場合、一対の取付台と横梁部によってその外力を受け止めることができる。これにより、筐体の強度をさらに向上できる。
【００１１】
請求項３のコンロによれば、請求項２に記載の発明の効果に加え、一対の取付台と横梁部は同一高さ位置に配置されているので、筐体に対して左右方向に外力が加えられた場合、一対の取付台と横梁部によってその外力をより確実に受け止めることができる。これにより、筐体の強度をさらに向上できる。
【図面の簡単な説明】
【００１２】
【図１】コンロ１の斜視図である。
【図２】コンロ１（天板無）の斜視図である。
【図３】コンロ１（天板無）の平面図である。
【図４】コンロ１（天板無）の底面図である。
【図５】コンロ１（天板無）の背面図である。
【図６】グリルユニット４０の分解斜視図である。
【図７】コンロ１００の斜視図である。
【図８】コンロ１００（天板無）の斜視図である。
【図９】コンロ１００（天板無）の平面図である。
【図１０】コンロ１００（天板無）の底面図である。
【図１１】コンロ１００（天板無）の背面図である。
【図１２】コンロ１００（天板無）の分解斜視図である。
【図１３】筐体２の斜視図である。
【図１４】筐体２の左後方からの斜視図である。
【図１５】左側梁部５２の斜視図である。
【図１６】目隠し部材６２の斜視図である。
【発明を実施するための形態】
【００１３】
本発明の実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１４】
本実施形態は、図１に示す既存のグリル付コンロ１（以下、コンロ１と呼ぶ）の部品の一部を、図７に示すグリル無しコンロ１００（以下、コンロ１００と呼ぶ）の部品の一部に転用できる。よって、本実施形態では、コンロ１とコンロ１００の共通する部品については、同符号を付して説明する。なお、図１〜図６はコンロ１に関連する図面、図７〜図１６はコンロ１００に関連する図面であるが、共通する部品の説明については、コンロ１の説明であっても、コンロ１００の図面を参照することがあり、その逆の場合もある。
【００１５】
図１〜図５を参照し、コンロ１の構成を説明する。コンロ１は、筐体２と天板３を備える。筐体２は、上部が開口する略直方体状に形成される。天板３は、筐体２の開口する上部にネジ止め固定される。天板３の右側と左側には、一対のバーナ開口部（図示略）が設けられる。天板３上において、筐体２内に設けられた右コンロバーナ４（以下、右コンロ４と呼ぶ）のヘッド部と、左コンロバーナ５（以下、左コンロ５と呼ぶ）のヘッド部とが、一対のバーナ開口部の夫々の内側を上下方向に挿通するように設置される。右コンロ４と左コンロ５の間の後方には、排気口部７が設けられる。排気口部７は、筐体２内に設置されたグリル庫４５（図２参照）内のガス燃焼によって生じた燃焼排ガスを、外部に排出する。
【００１６】
図２〜図５、図１３に示すように、筐体２は、筐体本体部２０、底板部２４、上板部２５を備える。筐体本体部２０は、前側が開口する平面視略Ｕ字形状に形成される。筐体本体部２０は板金部材で形成され、右板部２１、左板部２２、後板部２３を備える。右板部２１及び左板部２２は、側面視前後方向に長い略矩形状に形成される。後板部２３は、背面視左右方向に長い略矩形状に形成され、右板部２１及び左板部２２の夫々の後端部同士を繋いでいる。底板部２４は板金部材であって、右板部２１の前端部の下部と、左板部２２の前端部の下部との間に渡設される。上板部２５は板金部材であって、左右方向に略直線状に延び、右板部２１の前端部の上部と、左板部２２の前端部の上部との間に渡設される。なお、図１３に示す筐体２は、上板部２５と、底板部２４の前端部との間に、二本の右支柱部２７及び左支柱部２８が立設するが、コンロ１の筐体２は、右支柱部２７及び左支柱部２８を立設しない。
【００１７】
筐体２の前面部には、フロントパネル３４が装着される。フロントパネル３４の左右方向の中央部には、正面視略矩形状の開口部２６が設けられる。開口部２６の内側には、グリル庫４５のグリル開口が設置される。開口部２６には、グリル扉８が前後方向に移動可能に設けられる。ユーザがグリル扉８を手前側に引き出すと、グリル扉８の背面下部に連結した受皿と焼き網（図示略）を、グリル庫４５内から同時に取り出すことができる。
【００１８】
フロントパネル３４の前面部において、グリル扉８の右側には、右側から順に、操作ボタン１０，１１が横並びに設けられる。グリル扉８の左側には、操作ボタン１３が設けられる。操作ボタン１０を押し込むと、グリル庫４５内のグリルバーナ４２１（図６参照）が点火され、再度押し込むと消火される。操作ボタン１１を押し込むと、右コンロ４が点火され、再度押し込むと消火される。操作ボタン１２を押し込むと、左コンロ５が点火され、再度押し込むと消火される。操作ボタン１２の左隣には、電池ボックス１５が手前に引き出し可能に設けられる。電池ボックス１５は、コンロ１に電源を供給する乾電池（図示略）を格納する。電池ボックス１５の直上には、乾電池の電圧低下を報知する為のＬＥＤ１４が設けられる。操作ボタン１１の上方には、切替スイッチ１６が設けられる。切替スイッチ１６は、右コンロ４及び左コンロ５が自動消火するまでの時間設定の変更に用いられる。
【００１９】
操作ボタン１０の上方には、火力調節レバー１０Ａが設けられる。操作ボタン１１の上方には、火力調節レバー１１Ａが設けられる。操作ボタン１２の上方には、火力調節レバー１２Ａが設けられる。火力調節レバー１０Ａは、フロントパネル３４の後方に設けられた後述する点滅装置１７（図３参照）のブラケットに軸支される。火力調節レバー１０Ａは、ブラケットを中心とする左右方向の回動操作により、点滅装置１７を操作し、グリルバーナ４２１の火力調節を行う。火力調節レバー１１Ａは、フロントパネル３４の後方に設けられた後述する点滅装置１８（図３参照）のブラケットに軸支される。火力調節レバー１１Ａは、ブラケットを中心とする左右方向の回動操作により、点滅装置１８を操作し、右コンロ４の火力調節を行う。火力調節レバー１２Ａは、フロントパネル３４の後方に設けられた後述する点滅装置１９（図３参照）のブラケットに軸支される。火力調節レバー１２Ａは、ブラケットを中心とする左右方向の回動操作により、点滅装置１９を操作し、左コンロ５の火力調節を行う。
【００２０】
操作ボタン１０の直下には、ロック操作部１０Ｂが設けられる。操作ボタン１１の直下には、ロック操作部１１Ｂが設けられる。操作ボタン１２の直下には、ロック操作部１２Ｂが設けられる。ロック操作部１０Ｂを点火許容位置からロック位置にスライド移動させると、操作ボタン１０の押下が制限され、点火操作が不能になる。ロック操作部１１Ｂを点火許容位置からロック位置にスライド移動させると、操作ボタン１１の押下が制限され、点火操作が不能になる。ロック操作部１２Ｂを点火許容位置からロック位置にスライド移動させると、操作ボタン１２の押下が制限され、点火操作が不能になる。
【００２１】
図２〜図４，図６を参照し、筐体２の内部構造を説明する。筐体２の略中央部には、グリルユニット４０が設置される。図６に示すように、グリルユニット４０は、下から順に、グリル庫４５と遮熱板４３を備える。グリル庫４５は、下から順に、ユニット本体部４１とグリルフード４２を備える。ユニット本体部４１は、上面が開口する断面略コ字状の箱型に形成され、内側に被調理物を加熱調理する調理空間を形成する。グリルフード４２は、ユニット本体部４１の開口する上部を塞ぐように、ネジで固定される。グリルフード４２は中央部に、グリルバーナ４２１を備える。遮熱板４３は、グリルフード４２の上面を覆うように隙間を空けて支持され、グリルバーナ４２１から伝わる熱を遮断する。これにより、コンロ１は、天板３の温度が過度に上昇するのを防止する。また、コンロ１は、グリルユニット４０の遮熱板４３の上面前側部分を覆うようにして、遮熱カバー９（図３参照）を更に備える。遮熱カバー９は平面視矩形状に形成され、筐体２の上板部２５に対してネジで固定される。
【００２２】
図２〜図４に示すように、遮熱板４３の上面の右端側と、筐体２の右板部２１の上端部との間には、バーナ取付台３５が略水平に渡設される。バーナ取付台３５には、右コンロ４が取り付けられる。遮熱板４３の上面の左端側と、筐体２の左板部２２の上端部との間には、バーナ取付台３６が略水平に渡設される。バーナ取付台３６には、左コンロ５が取り付けられる。
【００２３】
筐体２の底板部２４の上面において、操作ボタン１０に対応する位置には、点滅装置１７が固定され、操作ボタン１１に対応する位置には、点滅装置１８が固定され、操作ボタン１２に対応する位置には、点滅装置１９が固定される。点滅装置１７のガス出口には、ガス管２０２の一端部が接続される。ガス管２０２はガス出口から後方に延び、ガスが流れる下流側である他端部側が左方に屈曲する。ガス管２０２の他端部に設けられたノズルは、グリルフード４２の右後方部に設けられた後述するガス流入口４２２（図３，図６参照）に対向配置される。点滅装置１７は、操作ボタン１０の押し込み操作に連動し、内部のガス流路を開閉することによって、ノズルからのガス供給を開始、又は遮断する。点滅装置１７は、火力調節レバー１０Ａの回動量に応じてノズルから噴出するガス量を調節する。
【００２４】
点滅装置１８のノズルは後方に突出し、右コンロ４のガス流入口に向けてガスを噴出する。点滅装置１８は、操作ボタン１１の押し込み操作に連動し、内部のガス流路を開閉することによって、右コンロ４へのガス供給を開始、又は遮断する。点滅装置１８は、火力調節レバー１１Ａの回動量に応じてノズルから噴出するガス量を調節する。点滅装置１９のノズルは後方に突出し、左コンロ５のガス流入口に向けてガスを噴出する。点滅装置１９は、操作ボタン１２の押し込み操作に連動し、内部のガス流路を開閉することによって、左コンロ５へのガス供給を開始、又は遮断する。点滅装置１９は、火力調節レバー１２Ａの回動量に応じてノズルから噴出するガス量を調節する。
【００２５】
筐体２内には、ガス管２０１が配設される。ガス管２０１のガスが流れる上流側の端部は、筐体２の後板部２３（図３，図４参照）から後方に突出する。ガス管２０１の上流側の端部には、管状の接続具２００が設けられる。接続具２００には、図示しないガス元栓から延びるガスホースが接続される。それ故、ガスホースから接続具２００を介して、ガス管２０１にガスが供給される。図４に示すように、ガス管２０１は、接続具２００が設けられた一端部側から前方に延び、フロントパネル３４の近傍で右方に略直角に屈曲する。その後、グリル庫４５の下側を潜り抜けるようにして右方に延び（図４，図５参照）、右板部２１（図３参照）の近傍まで配設される。ガス管２０１には、点滅装置１７〜１９が夫々接続される。それ故、ガス管２０１を流れたガスは、点滅装置１７〜１９に夫々供給される。
【００２６】
図２，図５，図１２，図１４を参照し、右板部２１、左板部２２、後板部２３に設けられる形状を具体的に説明する。右板部２１の上端部近傍であって、前後方向略中央部には、前後方向に並ぶ一対の引掛孔２１１が設けられる。左板部２２の前後方向略中央部で且つ上端部近傍にも、前後方向に並ぶ一対の引掛孔２２１が設けられる。一対の引掛孔２２１の下方には、カバー部材３９が設けられる。カバー部材３９は、下方に位置する電池ボックス１５を覆う。
【００２７】
後板部２３の中央部よりも右側領域の上部には、前後方向に貫通する略矩形状の貫通孔２３１が設けられる。貫通孔２３１は、筐体２内に設置されるユニット本体部４１（図６参照）の後述する右側張出部４７に相対する。貫通孔２３１の下端部には、前方に略水平に突出する支持片２３２が設けられる。支持片２３２の略中央には、固定孔２３３が設けられる。支持片２３２の右端部には、上方に突出するリブ２３４が設けられる。貫通孔２３１の下方には、前後方向に貫通する縦長略矩形状の貫通孔２３５が設けられる。貫通孔２３５の右端部には、前方に突出するリブ２３６が設けられる。貫通孔２３５の下方には、前方に切り起された平面視略台形状の切起部２３７が設けられる。
【００２８】
一方、後板部２３の中央部よりも左側領域の上部には、前後方向に貫通する略矩形状の貫通孔２４１が設けられる。貫通孔２４１は、筐体２内に設置されるユニット本体部４１（図６参照）の後述する左側張出部４８に相対する。貫通孔２４１の下端部には、前方に略水平に突出する支持片２４２が設けられる。支持片２４２の略中央には、固定孔２４３が設けられる。支持片２４２の左端部には、上方に突出するリブ２４４が設けられる。貫通孔２４１の下方には、前後方向に貫通する縦長略矩形状の貫通孔２４５が設けられる。貫通孔２４５の左端部には、前方に突出するリブ２４６が設けられる。貫通孔２４５の下方には、前方に切り起された平面視略台形状の切起部２４７が設けられる。また、後板部２３の内面において、貫通孔２４５の左方には、各種基板を収納する基板ボックス３８が固定される。
【００２９】
図１２を参照し、バーナ取付台３５，３６の構造を説明する。バーナ取付台３５は、左右方向に長い平面視略矩形状に形成される。バーナ取付台３５の上面略中央部には、右コンロ４がネジで固定される。バーナ取付台３５の右端部には、一対の引掛爪３５１と、一対の当接部３５２とが設けられる。一対の引掛爪３５１は、バーナ取付台３５の右端部から右側に対して斜め上方に突出する。一対の当接部３５２は、バーナ取付台３５の右端部の前後両側から下方に突出して形成される。バーナ取付台３５の左端部には、天板支持部３５３と一対の係止爪３５４が設けられる。天板支持部３５３は、正面視逆Ｌ字状に形成され、バーナ取付台３５の左端部から上方に突出し、且つ先端部が左方に略直角に屈曲する。一対の係止爪３５４は、バーナ取付台３５の左端部の左右両側から下方に突出する。バーナ取付台３５の前端部には、固定片部３５５が設けられる。固定片部３５５は側面視上方に向けて開口する略コの字型に形成される。固定片部３５５の底部の左端側には、上下方向に貫通する固定孔３５６が設けられる。
【００３０】
バーナ取付台３６は、バーナ取付台３５と左右対称形状であって、左右方向に長い平面視略矩形状に形成される。バーナ取付台３６の上面略中央部には、左コンロ５がネジで固定される。バーナ取付台３６の左端部には、一対の引掛爪３６１と、一対の当接部３６２とが設けられる。一対の引掛爪３６１は、左側に対して斜め上方に突出する。一対の当接部３６２は、バーナ取付台３６の左端部の前後両側から下方に突出して形成される。バーナ取付台３６の右端部には、天板支持部３６３と一対の係止爪３６４が設けられる。天板支持部３６３は、正面視逆Ｌ字状に形成され、バーナ取付台３６の右端部から上方に突出し、且つ先端部が右方に略直角に屈曲する。一対の係止爪３６４は、バーナ取付台３６の右端部の左右両側から下方に突出する。バーナ取付台３６の前端部には、固定片部３６５が設けられる。固定片部３６５は側面視上方に向けて開口する略コの字型に形成される。固定片部３６５の底部の右端側には、上下方向に貫通する固定孔３６６が設けられる。
【００３１】
図６を参照し、グリルユニット４０を構成する各部品の構造を具体的に説明する。ユニット本体部４１は、前面と上面が開放された箱状に形成され、底壁部４１０、右壁部４１１、左壁部４１２、背壁部４１３を備える。底壁部４１０の前側部の左右両側には、一対の固定孔４１５，４１６が設けられる。右壁部４１１の上端部の後方部には、右側張出部４７が設けられる。右側張出部４７は、側面視略Ｌ字状に形成され、固定部４７１と当接部４７２を備える。固定部４７１は、平面視略矩形状に形成され、右壁部４１１の上端部から右側方に略水平に張り出す。固定部４７１は、固定孔４７３と差込孔４７４を備える。固定孔４７３は平面視円形状に形成され、差込孔４７４は平面視前後方向に長いスリット状に形成される。当接部４７２は正面視略矩形状に形成され、固定部４７１の後端部から上方に突出し、面方向が前後方向を向くように設けられる。なお、説明しないが、左壁部４１２の上端部の後方部にも、右側張出部４７と左右対称形状の左側張出部４８（図３参照）が設けられる。左側張出部４８は、右側張出部４７と同様に、側面視略Ｌ字状に形成され、固定部４８１（図３参照）と当接部４８２（図２参照）を備える。
【００３２】
背壁部４１３の前面（内面）は、前方から後方に向かうに従って上り傾斜する傾斜面である。それ故、グリル庫４５内の燃焼排ガスは、背壁部４１３の前面に沿って後方に流れ、グリルフード４２の後述する排気筒４２５に向かってガイドされる。背壁部４１３の背面の上下方向略中央部には、段部４１７が設けられる。背壁部４１３における段部４１７よりも上側部分は、下側部分よりも後方に突出する。段部４１７は、底面視左右方向に長い略矩形状の面である。
【００３３】
グリルフード４２は、平面視略矩形板状に形成される。グリルフード４２の略中央部には、グリルバーナ４２１が設けられる。グリルバーナ４２１は、下面に多数の炎孔を備える。炎孔は下方に向けて火炎を形成する。グリルフード４２の右後方角部には、ガス流入口４２２が設けられる。ガス流入口４２２は、右方に向けて開口する。ガス流入口４２２は、ガス管２０２の下流側端部に設けられたノズル（図示略）と対向配置される。ノズルは、ガス流入口４２２に向かってガスを噴出する。ガスはガス流入口４２２から流入し、該流入と同時にガス流入口４２２に引き込まれる空気と混合され、各炎孔に供給される。
【００３４】
グリルフード４２の後端部には、排気筒４２５が設けられる。排気筒４２５は、上下方向に延び且つ平面視左右方向に長い略筒状に形成される。排気筒４２５の上部には、開口部４２６が設けられる。開口部４２６は、平面視左右方向に長い略矩形状に形成される。開口部４２６は、天板３の後部に設けられた排気口部７の直下に配置される。グリル庫４５内の燃焼により生じた燃焼排ガスは、背壁部４１３の前面に沿って後方に流れ、排気筒４２５を上方に流れる。排気筒４２５は、燃焼排ガスを天板３の排気口部７に導く。
【００３５】
遮熱板４３は平面視略矩形状、且つ正面視下側に開口する略コの字型に形成される。遮熱板４３の右側部の上面には、位置決め部４３１が設けられる。位置決め部４３１には、前後一対の係止孔４３３が設けられる。遮熱板４３の左側部の上面にも、位置決め部４３２が設けられる。位置決め部４３２には、前後一対の係止孔４３４が設けられる。遮熱板４３は、グリルフード６０を上方から覆うことができる程度の大きさを有する。
【００３６】
コンロ１の組立工程の一例を説明する。なお、本実施形態では、筐体２の内側に、ユニット本体部４１、グリルフード４２、遮熱板４３、及びバーナ取付台３５，３６を下から順に積み上げ、最後にネジで共締め固定するまでを中心に説明し、それ以外の部品の取付工程、天板３の固定工程等については説明を省略する。
【００３７】
作業者は、先ず、フロントパネル３４が前面部に装着された筐体２（図２参照）の内側に、図６に示すユニット本体部４１を上方から落とし込み、ユニット本体部４１の前端側を下げた状態で、フロントパネル３４の開口部２６に対して後方から近づける。そして、ユニット本体部４１の正面視Ｕ字状の前端部を、開口部２６の右縁部、左縁部、下縁部に位置決めする。位置決め方法については説明しないが、例えば、一方にスリット、他方に爪部を設け、スリットに爪部を差し込んで係合させることによって、ユニット本体部４１の前端部を、開口部２６に対して位置決めしてもよい。このとき、ユニット本体部４１は、前端側よりも後端側が上方に浮いた状態であるので、前端部を支点として、後端側を下方に回動させる。
【００３８】
すると、筐体２の後板部２３の右側に設けられた支持片２３２（図１４参照）の上面に対し、ユニット本体部４１の右側張出部４７の固定部４７１（図３，図６参照）が載置される。このとき、固定部４７１に設けられた差込孔４７４に対し、支持片２３２に設けられたリブ２３４が下方から差し込まれる。一方、筐体２の後板部２３の左側に設けられた支持片２４２（図１４参照）の上面に対し、ユニット本体部４１の左側張出部４８の固定部４８１（図３参照）が載置される。このとき、固定部に設けられた差込孔に対し、支持片２４２に設けられたリブ２４４が下方から差し込まれる。これにより、支持片２３２，２４２に対し、右側張出部４７の固定部４７１と、左側張出部４８の固定部４８１とが、簡単且つ正確に位置決めされる。
【００３９】
さらに、筐体２の後板部２３の右側に設けられたリブ２３６（図１４参照）に対し、ユニット本体部４１の右壁部４１１（図６参照）の外面が当接する。筐体２の後板部２３の左側に設けられたリブ２４６（図１４参照）に対し、ユニット本体部４１の左壁部４１２（図６参照）の外面が当接する。これにより、筐体２の後端部の左右方向の位置が決まる。さらに、筐体２の後板部２３の右側に設けられた切起部２３７（図５参照）の上部と、左側に設けられた切起部２４７（図５参照）の上部とに対して、ユニット本体部４１の背壁部４１３に設けられた段部４１７が載置される。これにより、筐体２の後部の上下方向の高さ位置が決まる。
【００４０】
そして、右側の支持片２３２に設けられた固定孔２３３（図１４参照）に対して、右側張出部４７の固定部４７１に設けられた固定孔４７３（図６参照）が重合して配置される。作業者は、固定孔２３３と固定孔４７３に対し、ネジを上方から締結する。一方、左側の支持片２４２に設けられた固定孔２４３（図１４参照）に対して、左側張出部４８の固定部に設けられた固定孔（図示略）が重合して配置される。作業者は、固定孔２４３と固定孔に対し、ネジを上方から締結する。これにより、ユニット本体部４１の後部は、右側張出部４７及び左側張出部４８を介して、筐体２の後板部２３に固定される。
【００４１】
そして、筐体２の底板部２４に設けられた一対の固定孔２４Ａ，２４Ｂ（図４，図１３参照）に対し、ユニット本体部４１の底壁部４１０の前端側に設けられた一対の固定孔４１５，４１６（図６参照）が重合して配置される。固定孔２４Ａ，２４Ｂと、固定孔４１５，４１６に対し、ネジ９０を上方から締結する。これにより、ユニット本体部４１の前部は、筐体２の底壁部４１０に固定される（図４参照）。
【００４２】
ここで、図５に示すように、右側張出部４７の当接部４７２の背面は、筐体２の後板部２３の右側の貫通孔２３１に対向配置される。左側張出部４８の当接部の背面は、筐体２の後板部２３の左側の貫通孔２４１に対向配置される。これにより、筐体２の後板部２３を後方から見た場合、貫通孔２３１，２４１は、右側張出部４７の当接部４７２の背面と、左側張出部４８の当接部４８２の背面とによって閉じられる。また、貫通孔２３５，２４５は、ユニット本体部４１の背壁部４１３によって閉じられる。これにより、筐体２の後板部２３を後方から見た場合、貫通孔２３１，２４１と、貫通孔２３５，２４５によって、筐体２の内側が見えないようになっている。
【００４３】
次いで、作業者は、ユニット本体部４１の上部にグリルフード４２を位置決めして配置し、さらに、そのグリルフード４２の上面を覆うようにして、遮熱板４３を上方から位置決めして配置する。これにより、グリルユニット４０が構成される。
【００４４】
次いで、図１２に示すように、グリルユニット４０の右側上方に、右コンロ４が固定されたバーナ取付台３５を配置する。バーナ取付台３５の右端側を下げ、その右端部に設けられた一対の引掛爪３５１を、筐体２の右板部２１に設けられた一対の引掛孔２１１に対し、筐体２の内側から挿入して引っ掛ける。一対の引掛爪３５１は、一対の引掛孔２１１から斜め上方に突出するので、バーナ取付台３５の右端部は、右板部２１に対して係止された状態となる。これにより、一対の引掛爪３５１を支点として、バーナ取付台３５の左端側を下方に回動させる。
【００４５】
図２，図３に示すように、バーナ取付台３５が略水平になると、バーナ取付台３５の右端部に設けられた一対の当接部３５２が、右板部２１の内面に当接する。この状態で、バーナ取付台３５の左端側は、遮熱板４３の右端側の位置決め部４３１に正確に配置される。バーナ取付台３５の左端側に設けられた一対の係止爪３５４を、位置決め部４３１に設けられた一対の係止孔４３３に係止させる。これにより、バーナ取付台３５は、右板部２１と、遮熱板４３の位置決め部４３１との間に略水平に掛け渡される。このとき、バーナ取付台３５の固定片部３５５の底部は、遮熱板４３の右端部の上面に配置される。バーナ取付台３５の左端部に設けられた天板支持部３５３は、グリルユニット４０の遮熱板４３の右側上方に配置される。
【００４６】
一方、図１２に示すように、グリルユニット４０の左側上方に、左コンロ５が固定されたバーナ取付台３６を配置する。バーナ取付台３６の左端側を下げ、その左端部に設けられた一対の引掛爪３６１を、筐体２の左板部２２に設けられた一対の引掛孔２２１に対し、筐体２の内側から挿入して引っ掛ける。一対の引掛爪３６１は、一対の引掛孔２２１から斜め上方に突出するので、バーナ取付台３６の左端部は、左板部２２に対して係止された状態となる。これにより、一対の引掛爪３６１を支点として、バーナ取付台３６の右端側を下方に回動させる。
【００４７】
図２，図３に示すように、バーナ取付台３６が略水平になると、バーナ取付台３６の左端部に設けられた一対の当接部３６２が、左板部２２の内面に当接する。この状態で、バーナ取付台３６の右端側は、遮熱板４３の左端側の位置決め部４３２に正確に配置される。バーナ取付台３６の右端側に設けられた一対の係止爪３６４を、位置決め部４３２に設けられた一対の係止孔４３４に係止させる。これにより、バーナ取付台３６は、左板部２２と、遮熱板４３の位置決め部４３２との間に略水平に掛け渡される。このとき、バーナ取付台３６の固定片部３６５の底部は、遮熱板４３の左端部の上面に配置される。バーナ取付台３６の右端部に設けられた天板支持部３６３は、グリルユニット４０の遮熱板４３の左側上方に配置される。
【００４８】
そして、筐体２の内側においては、ユニット本体部４１、グリルフード４２、遮熱板４３、バーナ取付台３５，３６が上積み方式で、下から順に配置された状態である。ここで、ユニット本体部４１の右壁部４１１の上端部に対して、グリルフード４２の右端部、遮熱板４３の右端部、バーナ取付台３５の固定片部３５５の底部（固定孔３５６）が夫々載置されて重なる。一方、ユニット本体部４１の左壁部４１２の上端部に対して、グリルフード４２の左端部、遮熱板４３の左端部、バーナ取付台３６の固定片部３６５の底部（固定孔３６６）が夫々載置されて重なる。作業者は、これらの重なり部分を、複数のネジで上方から共締めする。これにより、筐体２内に、グリルユニット４０、及びバーナ取付台３５，３６が取り付けられる（図２参照）。そして、最後に、筐体２の開口する上部に対し、天板３をネジで固定することによって、コンロ１の組み立て工程は完了する（図１参照）。
【００４９】
図７〜図１６を参照し、コンロ１００の構造を説明する。図７に示すコンロ１００は、グリル無しコンロであり、上記した図１に示すコンロ１の部品の一部を転用して構成される。本実施形態では、コンロ１と共通する構造部分については、説明を省略又は簡略化し、異なる構造部分を中心に説明する。
【００５０】
図７に示すように、コンロ１００は、筐体２と天板３００を備える。筐体２は、コンロ１の筐体２と共通し、筐体本体部２０、底板部２４、上板部２５を備える。天板３００は、コンロ１の天板３から排気口部７を省略したものである。図８に示すように、筐体２の前面部には、フロントパネル８０が装着される。フロントパネル８０は、パネル本体部８１、右エンドピース８２、左エンドピース８３の三つの部品で構成される。パネル本体部８１は板金部材で形成され、筐体本体部２０の前面部の左右両側を除く中央部に装着される。右エンドピース８２及び左エンドピース８３は樹脂で形成される。右エンドピース８２は、筐体２の右前角部に装着され、パネル本体部８１の右側に配置される。左エンドピース８３は、筐体２の左前角部に装着され、パネル本体部８１の左側に配置される。パネル本体部８１は、フロントパネル３４に設けられる開口部２６、操作ボタン１０、火力調節レバー１０Ａ、ロック操作部１０Ｂを備えておらず、操作ボタン１１，１２、電池ボックス１５、ＬＥＤ１４、切替スイッチ１６、火力調節レバー１１Ａ，１２Ａ等を備える。
【００５１】
図８〜図１４を参照し、筐体２の内部構造を説明する。筐体２の略中央部には、コンロ１のグリルユニット４０（図２参照）は設置されない。上板部２５と、底板部２４の前端部との間には、右支柱部２７及び左支柱部２８が新たに立設される。右支柱部２７及び左支柱部２８は、正面視縦長の略矩形状に形成された金属部材であって、互いに共通部品である。右支柱部２７は、筐体２の左右方向において、後板部２３に設けられた右側の貫通孔２３１に相対する位置に配置される。右支柱部２７の下端部は、底板部２４の右側の固定孔２４Ａ（図１３参照）の右隣に設けられた孔２４Ｃ（図１０参照）にネジ９０で固定される。右支柱部２７の上端部は、上板部２５の上面部に対し、フロントパネル８０の上端部を介してネジで固定される。左支柱部２８は、筐体２の左右方向において、後板部２３に設けられた左側の貫通孔２４１に相対する位置に配置される。左支柱部２８の下端部は、底板部２４の左側の固定孔２４Ｂの左隣に設けられた孔２４Ｄ（図１０参照）にネジ９０で固定される。左支柱部２８の上端部は、上板部２５に対し、フロントパネル８０の上端部を介してネジで固定される。
【００５２】
図１３に示すように、左支柱部２８の上部には、前後方向に貫通する正面視略矩形状の開口部２８Ａが設けられる。開口部２８Ａの下縁部には、後方に略水平に突出する固定片（図示略）が設けられる。固定片には、上下方向に貫通する固定孔（図示略）が設けられる。開口部２８Ａの下方には、左右方向に並ぶ一対のスリット２８Ｂが設けられる。スリット２８Ｂは、前後方向に貫通する正面視縦長のスリットである。なお、説明しないが、右支柱部２７の上部にも、左支柱部２８と同様に、開口部、固定孔、一対のスリットが設けられる。これら右支柱部２７及び左支柱部２８は、上板部２５の中央部分を下方から支持する。それ故、コンロ１は、上板部２５の中央部分が下方に撓むのを防止できる。
【００５３】
図１２，図１３に示すように、右支柱部２７の上端部と、後板部２３の貫通孔２３１に設けられた支持片２３２との間には、前後方向に延びる右側梁部５１が新たに架設される。左支柱部２８の上端部と、後板部２３の貫通孔２４１に設けられた支持片２４２との間には、前後方向に延びる左側梁部５２が新たに架設される。右側梁部５１と左側梁部５２は、平面視略Ｔ字状に形成され、互いに共通部品である。右側梁部５１と左側梁部５２は、右支柱部２７及び左支柱部２８と後板部２３との間の離間距離を確保すると共に、筐体２の強度を向上する。なお、右側梁部５１及び左側梁部５２の具体的形状については後述する。
【００５４】
筐体２の内側には、バーナ取付台３５，３６が取り付けられる。バーナ取付台３５は、右板部２１の上端部と、右側梁部５１との間に略水平に架設される。バーナ取付台３５には、右コンロ４が取り付けられる。バーナ取付台３６は、左板部２２の上端部と、左側梁部５２との間に略水平に架設される。バーナ取付台３６には、左コンロ５が取り付けられる。これにより、コンロ１００において、筐体２の内側に、右コンロ４及び左コンロ５が支持される。さらに、右側梁部５１と左側梁部５２の間には、横梁部７０が架設される。
【００５５】
横梁部７０は、右側梁部５１と左側梁部５２の間を左右方向に延び、コンロ１００の前後方向において、バーナ取付台３５，３６と同一位置に配置される。それ故、右側から左側に向かって順に、バーナ取付台３５、横梁部７０、バーナ取付台３６が略直線状に並んで配置される。右側梁部５１と左側梁部５２の間に横梁部７０を架設することで、グリルユニット４０を省略した場合であっても、筐体２に対して一定の強度を担保できる。
【００５６】
また、右側梁部５１の後端部と、後板部２３の支持片２３２との間には、正面視略逆Ｌ字状の目隠し部材６１が挟持された状態で固定される。左側梁部５２の後端部と、後板部２３の支持片２４２との間には、正面視逆Ｌ字状の目隠し部材６２が挟持された状態で固定される。目隠し部材６１は、筐体２の内側から、後板部２３に設けられた右側の貫通孔２３１，２３５を塞ぐ。目隠し部材６２は、筐体２の内側から、後板部２３に設けられた左側の貫通孔２４１，２４５を塞ぐ。これにより、コンロ１００を後方から見た場合であっても、美観を損なうことが無い。目隠し部材６１，６２の具体的形状については後述する。
【００５７】
図１５を参照し、右側梁部５１及び左側梁部５２の構造を説明する。右側梁部５１及び左側梁部５２は金属部品であり、互いに共通部品である。よって、本実施形態では、左側梁部５２の構造を説明する。左側梁部５２は、平面視略Ｔ字状に形成され、中央延設部５４、前側固定部５５、後側固定部５６を備える。
【００５８】
中央延設部５４は、左側梁部５２の前後方向の中央部分であって、前後方向に略直線状に延び、且つ断面視下方に向けて開口する略コの字型に形成される。中央延設部５４は、上壁部５４１、右壁部５４２、左壁部５４３を備える。上壁部５４１は、平面視前後方向に延びる細長の略矩形状に形成される。右壁部５４２は、上壁部５４１の右端部から下方に突出し、右側面視左右方向に延びる細長の略矩形状に形成される。左壁部５４３は、上壁部５４１の左端部から下方に突出し、左側面視左右方向に延びる細長の略矩形状に形成される。上壁部５４１は、一対の差込孔５４１Ｂ、固定孔５４１Ａ、固定孔５４１Ｃを備える。一対の差込孔５４１Ｂは、固定孔５４１Ａを前後方向において両側から挟む位置に夫々設けられ、平面視左右方向に延びるスリット状に形成される。固定孔５４１Ａは、平面視略円形状に形成される。固定孔５４１Ｃは、一対の差込孔５４１Ｂよりも前側に設けられ、平面視略円形状に形成される。
【００５９】
前側固定部５５は、中央延設部５４の前端部に設けられる。前側固定部５５は、前方突出部５５１と左右一対の差込部５５２を備える。前方突出部５５１は、中央延設部５４の上壁部５４１の先端部から前方に突出する。前方突出部５５１の基部には、固定孔５４５が設けられる。左右一対の差込部５５２は、中央延設部５４の右壁部５４２と左壁部５４３の夫々の前端部から前方に突出し、且つ先端側が下方に略Ｌ字状に屈曲する。
【００６０】
後側固定部５６は、中央延設部５４の後端部に直交して設けられ、左右方向に延びる。後側固定部５６は、側面視略Ｌ字状に形成され、固定部５６１と当接部５６２を備える。固定部５６１は、中央延設部５４の上壁部５４１の後端部から左右両側に延びる平面視略矩形状に形成され、面方向が上下方向に向くように設けられる。固定部５６１の右側部分には、一組の固定孔５６１Ａと差込孔５６１Ｂが設けられる。固定孔５６１Ａは、中央延設部５４の上壁部５４１側に設けられ、差込孔５６１Ｂは、上壁部５４１側とは反対側に設けられる。固定孔５６１Ａは平面視円形状に形成され、差込孔５６１Ｂは平面視前後方向に長いスリット状に形成される。なお、固定部５６１の左側部分にも、一組の固定孔５６１Ａと差込孔５６１Ｂが設けられる。固定部５６１の左右方向中央部には、差込孔５６１Ｃが設けられる。差込孔５６１Ｃは、平面視前後方向に長いスリットである。当接部５６２は、固定部５６１の後端部から上方に突出する正面視横長の略矩形状に形成され、面方向が前後方向を向くように設けられる。後側固定部５６は、コンロ１のユニット本体部４１に設けられた右側張出部４７及び左側張出部４８の形状と対応する。
【００６１】
図１２を参照し、横梁部７０の形状を説明する。横梁部７０は金属部品である。横梁部７０は、中央本体部７１、右側連結部７２、左側連結部７３を備え、正面視下方に向けて開口する略コの字型に形成される。中央本体部７１は、平面視左右方向に延びる略矩形状に形成される。中央本体部７１の右端側には、前後一対の差込孔７１１が設けられ、左端側には、前後一対の差込孔７１２が設けられる。右側連結部７２は、中央本体部７１の右端部に設けられ、正面視Ｌ字状に形成される。右側連結部７２は、中央本体部７１の右端部から下方に突出し、且つ先端側が右方に略直角に屈曲される。右側連結部７２の右方に屈曲する右端部の前後両側には、下方に突出する一対の突起部７２１（図１２では手前側の一方のみ図示）が設けられる。右側連結部７２の右端部には、固定孔７２３が設けられる。左側連結部７３は、中央本体部７１の左端部に設けられ、正面視逆Ｌ字状に形成される。左側連結部７３は、中央本体部７１の左端部から下方に突出し、且つ先端側が左方に略直角に屈曲される。左側連結部７３の左方に屈曲する左端部の前後両側には、下方に突出する一対の突起部７３１（図１２では手前側の一方のみ図示）が設けられる。左側連結部７３の左端部には、固定孔（図示略）が設けられる。
【００６２】
図１６を参照し、目隠し部材６１，６２の構造を説明する。目隠し部材６１，６２は金属部品であり、互いに共通部品である。よって、本実施形態では、目隠し部材６２の構造を説明する。目隠し部材６２は、正面視逆Ｌ字状に形成され、本体部６３と固定部６４を備える。本体部６３は、正面視上下方向に長い略矩形状で、且つ平面視右方に向けて開口する略コの字型に形成される。本体部６３は、基部６３０、第一矩形状部６３１、第二矩形状部６３２を備える。基部６３０は、側面視上下方向に延びる略矩形状に形成される。第一矩形状部６３１は、基部６３０の前端部から右方に突出して設けられ、正面視上下方向に延びる略矩形状に形成される。第二矩形状部６３２は、基部６３０の後端部から右方に突出して設けられ、背面視上下方向に延びる略矩形状に形成される。第一矩形状部６３１と第二矩形状部６３２は互いに平行、且つ対向配置される。第一矩形状部６３１と基部６３０の接続部分の下側には、下方から上方に向かって切り込み状に形成された溝部６３５が設けられる。なお、図示しないが、第二矩形状部６３２と基部６３０の接続部分の下側にも、溝部６３５と同様の溝部が設けられる。
【００６３】
固定部６４は、本体部６３の基部６３０の上端部から左方に突出し、平面視左右方向に長い略矩形状に形成される。固定部６４は、左側から順に、差込孔６４１、固定孔６４２、爪部６４３を備える。差込孔６４１は、固定部６４の左端部に設けられ、前後方向に長いスリット状に形成される。固定孔６４２は、差込孔６４１の右側に設けられ、円形状に形成される。爪部６４３は、固定部６４を上方に切り起して形成される。固定部６４は、第一引掛部６５と第二引掛部６６を更に備える。第一引掛部６５は、固定部６４の前端部の長手方向略中央部よりも右側に設けられ、側面視逆Ｌ字状に形成される。第一引掛部６５は、固定部６４の前端部から前方に突出し、且つ先端側が下方に略直角に屈曲する。第二引掛部６６は、固定部６４の後端部の長手方向略中央部よりも右側で、且つ第一引掛部６５と対向する位置に設けられ、側面視逆Ｌ字状に形成される。第二引掛部６６は、固定部６４の後端部から後方に突出し、且つ先端側が下方に略直角に屈曲する。第一引掛部６５と第二引掛部６６の夫々の先端部は、略円弧状に形成される。
【００６４】
コンロ１００の組立工程の一例を説明する。本実施形態では、筐体２の内側に、右支柱部２７、左支柱部２８、目隠し部材６１，６２、右側梁部５１、左側梁部５２、横梁部７０、バーナ取付台３５，３６を順に位置決めして固定するまでを中心に説明し、それ以外の部品の取付工程、天板３００の固定工程等については省略する。
【００６５】
作業者は、先ず、左支柱部２８を、上板部２５と底板部２４との間であって、後板部２３に設けられた左側の貫通孔２４１に相対する位置に配置する（図１３参照）。そして、左支柱部２８の下端部を、底板部２４の左側の固定孔２４Ｂの左隣に設けられた孔２４Ｄ（図１０参照）に位置決めし、ネジ９０で固定する。左支柱部２８の上端部を、上板部２５に設けられた開口部２５１，２５２（図１３参照）に係合させて仮固定する。
【００６６】
次いで、右支柱部２７を、左支柱部２８と同様に、上板部２５と底板部２４との間であって、後板部２３に設けられた右側の貫通孔２３１に相対する位置に配置する（図１３参照）。そして、右支柱部２７の下端部を、底板部２４の右側の固定孔２４Ａの右隣に設けられた孔２４Ｃ（図１０参照）に位置決めし、ネジ９０で固定する。右支柱部２７の上端部を、左支柱部２８と同様に、上板部２５に設けられた開口部（図示略）に係合させて仮固定する。そして、フロントパネル８０のパネル本体部８１の上端部を、上板部２５にネジで固定すると共に、開口部２５２を介して左支柱部２８の上端部、及び右支柱部２７の儒端部もネジで固定する。これにより、左支柱部２８の上端部、及び右支柱部２７の上端部は、上板部２５及びパネル本体部８１の上端部に固定される。
【００６７】
次いで、図１２に示すように、作業者は、後板部２３の左側の貫通孔２４１，２４５を塞ぐようにして、目隠し部材６２を、後板部２３の内面に位置決めする。具体的には、目隠し部材６２の固定部６４を左方に向けた状態で（図１６参照）、後板部２３側に位置する第二引掛部６６を、筐体本体部２０の内側から貫通孔２４１に挿通させて引っ掛ける。そして、目隠し部材６２の溝部６３５に対して、リブ２４６を下から上に差し込みながら、本体部６３の基部６３０の下端部を、切起部２４７の上部に載置させる。これにより、目隠し部材６２が、後板部２３の内面に仮固定される。このとき、後板部２３の左側の支持片２４２に対して、目隠し部材６２の固定部６４が上方から配置される。そして、支持片２４２に設けられたリブ２４６は、目隠し部材６２の固定部６４に設けられた差込孔６４１に挿入されるので、支持片２４２に対して固定部６４が位置決めされる。なお、後板部２３の右側の貫通孔２３１，２３５についても同様に、目隠し部材６１を、後板部２３の内面に位置決めして仮固定する。
【００６８】
次いで、作業者は、左側梁部５２を、前側固定部５５が前側、後側固定部５６が後側となるように持ち、左支柱部２８の上部と、目隠し部材６２の固定部６４が載置された後板部２３の支持片２４２との間に架け渡す。このとき、図１３に示すように、左側梁部５２の前側固定部５５の前方突出部５５１を、左支柱部２８の開口部２８Ａに対して後方から差し込む。これと同時に、左右一対の差込部５５２を、左支柱部２８の一対のスリット２８Ｂに対して後方から差し込んで係合させる。さらに、前方突出部５５１の固定孔５４５（図１５参照）を、左支柱部２８の固定片の固定孔（図示略）に重合させ、ネジ９０を上方から締結する。これにより、左側梁部５２の前側固定部５５が、左支柱部２８の上部に固定される（図１３参照）。
【００６９】
さらに、左側梁部５２の後側固定部５６の固定部５６１（図１５参照）を、後板部２３の左側の支持片２４２上に位置決めされた目隠し部材６２の固定部６４上に位置決めする（図８，図１６参照）。このとき、固定部５６１の左側の差込孔５６１Ｂに対し、目隠し部材６２の固定部６４の差込孔６４１から上方に突出する支持片２４２のリブ２４４を下方から挿入させる。さらに、固定部５６１の差込孔５６１Ｃに対し、目隠し部材６２の固定部６４の爪部６４３を下方から挿入させる。このとき、左側梁部５２の固定部５６１に設けた固定孔５６１Ａ（図１５参照）、目隠し部材６２の固定部６４の固定孔６４２（図１６参照）、支持片２４２の固定孔２４３（図１４参照）が上下方向に互いに重合する。作業者は、これら固定孔５６１Ａ、固定孔６４２、固定孔２４３に対してネジ９０を上方から締結する（図８参照）。これにより、左側梁部５２が、左支柱部２８の上部と、後板部２３の左側の支持片２４２との間に架け渡した状態で固定され、目隠し部材６２も、左側梁部５２の後側固定部５６と支持片２４２との間に固定される。このとき、左側梁部５２の後側固定部５６の当接部５６２は、後板部２３の貫通孔２４１を塞ぐように位置決めされる。
【００７０】
なお、説明しないが、右側梁部５１についても、左側梁部５２と同様の方法で、右支柱部２７の上部と、後板部２３の右側の支持片２３２との間に架け渡した状態で固定され、目隠し部材６１も、右側梁部５１の後側固定部５６と支持片２３２との間に固定される。このとき、右側梁部５１の後側固定部５６の当接部５６２は、後板部２３の貫通孔２３１を塞ぐように位置決めされる。
【００７１】
次いで、図１２，図１３に示すように、横梁部７０を、右側梁部５１と左側梁部５２の間に架け渡す。このとき、横梁部７０の右側連結部７２の一対の突起部７２１を、右側梁部５１の中央延設部５４に設けた一対の差込孔５４１Ｂに差し込む。横梁部７０の右側連結部７２の固定孔７２３は、右側梁部５１の固定孔５４１Ａ（図１５参照）に重合して配置される。作業者は、固定孔７２３と固定孔５４１Ａに対し、ネジ９０を上方から締結する（図１０参照）。これにより、右側梁部５１の中央延設部５４に対して、横梁部７０の右側連結部７２が固定される。一方、横梁部７０の左側連結部７３の一対の突起部７３１，７３２を、左側梁部５２の中央延設部５４に設けた一対の差込孔５４１Ｂに差し込む。横梁部７０の左側連結部７３の固定孔（図示略）は、左側梁部５２の固定孔５４１Ａに重合して配置される。作業者は、固定孔と固定孔５４１Ａに対し、ネジ９０を上方から締結する（図１０参照）。これにより、左側梁部５２の中央延設部５４に対して、横梁部７０の左側連結部７３が固定される。このようにして、横梁部７０は、右側梁部５１と左側梁部５２の間に架け渡した状態で固定される。
【００７２】
次いで、図１２に示すように、筐体２の右側に、右コンロ４が固定されたバーナ取付台３５を配置する。そして、バーナ取付台３５の右端側を下げ、その右端部に設けられた一対の引掛爪３５１を、筐体２の右板部２１に設けられた一対の引掛孔２１１に対し、筐体２の内側から挿入して引っ掛ける。一対の引掛爪３５１は、一対の引掛孔２１１から斜め上方に突出するので、バーナ取付台３５の右端部は、右板部２１に対して係止された状態となる。これにより、一対の引掛爪３５１を支点として、バーナ取付台３５の左端側を下方に回動させる。バーナ取付台３５が略水平になると、バーナ取付台３５の右端部に設けられた一対の当接部３５２が、右板部２１の内面に当接する。
【００７３】
図９，図１３に示すように、バーナ取付台３５の左端側は、横梁部７０の中央本体部７１の上面右側に配置される。そして、バーナ取付台３５の左端側に設けられた一対の係止爪３５４を、横梁部７０の中央本体部７１の右端側に設けられた一対の差込孔７１１に係止させる。これにより、バーナ取付台３５は、右板部２１と、横梁部７０の中央本体部７１の上面右側との間を略水平に掛け渡される。このとき、バーナ取付台３５の固定片部３５５の底部は、右側梁部５１の中央延設部５４上に配置される（図９，図１０参照）。そして、固定片部３５５の底部に設けた固定孔３５６（図１２参照）は、中央延設部５４に設けた固定孔５４１Ｃ（図１５参照）上に重合して配置されるので、ネジ９０を上方から締結する。これにより、バーナ取付台３５が、右板部２１と横梁部７０の間に架け渡した状態で固定される。
【００７４】
一方、図１２に示すように、筐体２の左側に、左コンロ５が固定されたバーナ取付台３６を配置する。そして、バーナ取付台３６の左端側を下げ、その左端部に設けられた一対の引掛爪３６１を、筐体２の左板部２２に設けられた一対の引掛孔２２１に対し、筐体２の内側から挿入して引っ掛ける。一対の引掛爪３６１は、一対の引掛孔２２１から斜め上方に突出するので、バーナ取付台３６の左端部は、左板部２２に対して係止された状態となる。これにより、一対の引掛爪３６１を支点として、バーナ取付台３６の右端側を下方に回動させる。バーナ取付台３６が略水平になると、バーナ取付台３６の左端部に設けられた一対の当接部３６２が、左板部２２の内面に当接する。
【００７５】
図９，図１３に示すように、バーナ取付台３６の右端側は、横梁部７０の中央本体部７１の上面左側に配置される。そして、バーナ取付台３６の右端側に設けられた一対の係止爪３６４を、横梁部７０の中央本体部７１の左端側に設けられた一対の差込孔７１２に係止させる。これにより、バーナ取付台３６は、左板部２２と、横梁部７０の中央本体部７１の上面左側との間を略水平に掛け渡される。このとき、バーナ取付台３６の固定片部３６５の底部は、左側梁部５２の中央延設部５４上に配置される（図９，図１０参照）。そして、固定片部３６５の底部に設けた固定孔３６６は、中央延設部５４に設けた固定孔５４１Ｃ上に重合して配置されるので、ネジ９０を上方から締結する。これにより、バーナ取付台３６が、左板部２２と横梁部７０の間に架け渡した状態で固定される。
【００７６】
このようにして、筐体２内に、右支柱部２７及び左支柱部２８、目隠し部材６１，６２、右側梁部５１、左側梁部５２、横梁部７０、バーナ取付台３５，３６が順に取り付けられる（図８参照）。そして、最後に、筐体２の開口する上部に対し、天板３００をネジで固定することによって、コンロ１００の組み立て工程は完了する（図７参照）。
【００７７】
このように、コンロ１００の筐体２の内側においては、グリルユニット４０を省略している為、筐体２の中央において、バーナ取付台３５，３６を支持する機構が必要となる。そこで、本実施形態では、上板部２５と底板部２４の間に、右支柱部２７及び左支柱部２８を立設する。さらに、これら右支柱部２７及び左支柱部２８と、筐体２の後板部２３との間に、右側梁部５１及び左側梁部５２を架設する。そして、右側梁部５１と右板部２１との間にバーナ取付台３５を架設し、左側梁部５２と左板部２２との間に、バーナ取付台３６を架設する。これにより、コンロ１の筐体２、バーナ取付台３５，３６等を、コンロ１００にも転用できるので、コンロ１００を構成する為の新規部品を減らすことができ、製造コストが高くなるのを防止できる。また、コンロ１の既存の部品を利用できるので、グリル庫を省略したコンロ１００を安価に製造できる。
【００７８】
また、右側梁部５１と左側梁部５２の間には、横梁部７０が架設される。さらに、横梁部７０の中央本体部７１と、バーナ取付台３５，３６は、互いに同一高さ位置に設けられる。これにより、横梁部７０の中央本体部７１とバーナ取付台３５，３６は、同一高さ位置で、且つ平面視同一直線上に配置されるので、仮に、筐体２の右板部２１及び左板部２２に対して外部から衝撃が加えられた場合でも、バーナ取付台３５，３６、及び横梁部７０によって右板部２１及び左板部２２が内側から支持できる。これにより、筐体２の強度をより向上できる。
【００７９】
また、筐体２の後板部２３に設けられた右側の貫通孔２３１は、右側梁部５１の当接部５６２によって塞がれ、その下方の貫通孔２３５は、目隠し部材６１の第一矩形状部６３１によって塞がれる。一方、筐体２の後板部２３に設けられた左側の貫通孔２４１は、左側梁部５２の当接部５６２によって塞がれ、その下方の貫通孔２４５は、目隠し部材６２の第二矩形状部６３２によって塞がれる。これにより、コンロ１において、グリルユニット４０によって塞がれていた貫通孔２３１，２３５，２４１，２４５は、グリルユニット４０が省略されたコンロ１００の筐体２であっても、右側梁部５１、左側梁部５２、目隠し部材６１，６２によって塞がれるので、筐体２を後方から見た場合であっても、美観を損ねることが無い。
【００８０】
また、右側梁部５１及び左側梁部５２は共通部品であり、目隠し部材６１，６２も共通部品であるので、量産を通じてコスト削減ができる。さらに、類似品を生産する無駄を減らすことができる。
【００８１】
以上説明したように、本実施形態のコンロ１，１００は、筐体２、バーナ取付台３５，３６、右コンロ４、左コンロ５を備える。筐体２は、後板部２３、左板部２２、右板部２１、底板部２４とを備える。底板部２４は、左板部２２及び右板部２１の夫々の下端部のうち少なくとも前端側同士を繋げる。後板部２３の左右二箇所には、貫通孔２３１，２４１と、支持片２３２，２４２とが設けられる。支持片２３２，２４２は、貫通孔２３１，２４１の各周縁の一部から貫通孔２３１，２４１前方に向かって突出する。グリル庫４５を筐体２内に取り付けるコンロ１において、支持片２３２，２４２には、グリル庫４５の後部の左右二箇所に設けられた右側張出部４７と、左側張出部４８が固定される。バーナ取付台３５，３６は、左板部２２とグリル庫４５の左端部との間、及び右板部２１とグリル庫の右端部との間に夫々架設される。右コンロ４及び左コンロ５は、一対のバーナ取付台３５，３６上に夫々取り付けられる。
【００８２】
一方、グリル庫４５を筐体２内に設置しないコンロ１００においては、底板部２４に右支柱部２７及び左支柱部２８が立設される。右支柱部２７及び左支柱部２８は、グリル庫４５が設置された場合のグリル庫４５の前側に設けられたグリル開口の左右両側に配置される。さらに、左側梁部５２が、左支柱部２８の上端部と、左側の支持片２４２との間に架け渡して固定され、筐体２の内側を前後方向に延びる。右側梁部５１が、右支柱部２７の上端部と、右側の支持片２３２との間に架け渡して固定され、筐体２の内側を前後方向に延びる。そして、バーナ取付台３５は、右側梁部５１と右板部２１との間に架設され、バーナ取付台３６は、左側梁部５２と左板部２２との間に架設される。これにより、本実施形態は、コンロ１の既存のグリル庫４５を取り付ける筐体２と、バーナ取付台３５，３６、右コンロ４、左コンロ５等を、グリル庫４５を省略したコンロ１００にも転用できる。よって、コンロ１００を構成する為の新規部品を減らすことができ、コストが高くなるのを防止できる。
【００８３】
上記説明において、筐体２の後板部２３に設けられる支持片２３２，２４２は、本発明の「突出片」の一例である。バーナ取付台３５，３６は、本発明の「一対の取付台」の一例である。
【００８４】
なお、本発明は上記実施形態に限定されるものではなく、種々の変更が可能である。本実施形態のコンロ１，１００は、テーブルコンロであるが、ビルトインコンロであってもよい。また、コンロ１，１００の前面部のレイアウトは自由に変更可能である。また、コンロ１のフロントパネル３４、コンロ１００のフロントパネル８０の構成も上記実施形態に限らず、自由に変更可能である。
【００８５】
上記実施形態では、筐体２の底板部２４に、グリル庫４５を固定する為の一対の固定孔２４Ａ，２４Ｂと、右支柱部２７及び左支柱部２８を固定する為の一対の孔２４Ｃ，２４Ｄとを別々に設けているが、例えば、孔２４Ｃ，２４Ｄを省略し、一対の固定孔２４Ａ，２４Ｂを共通して使用してもよい。
【００８６】
上記実施形態のコンロ１００では、右側梁部５１及び左側梁部５２を固定する際、目隠し部材６１，６２を筐体２の後板部２３に固定するが、目隠し部材６１，６２を省略してもよい。
【００８７】
上記実施形態のコンロ１００では、右側梁部５１と左側梁部５２の間に、一本の横梁部７０を架設するが、横梁部７０の本数は複数でもよい。また、横梁部７０は省略してもよい。横梁部７０の中央本体部７１と、バーナ取付台３５，３６とは、互いに同一高さ位置に配置されているが、高さ位置が異なっていてもよい。
【００８８】
上記実施形態のコンロ１は、グリル庫４５の上側を覆う遮熱板４３を備えているが、遮熱板４３は省略してもよい。
【符号の説明】
【００８９】
１，１００        コンロ
２        筐体
４        右コンロ
５        左コンロ
２１        右板部
２２        左板部
２３        後板部
２４        底板部
２７        右支柱部
２８        左支柱部
３５，３６        バーナ取付台
４０        グリルユニット
４５        グリル庫
４７        右側張出部
４８        左側張出部
５１        右側梁部
５２        左側梁部
７０        横梁部
２３１，２４１        貫通孔
２３２，２４２        支持片
４７１，４８１        固定部
【図１】
2019215114.tif 000003
【図２】
2019215114.tif 000004
【図３】
2019215114.tif 000005
【図４】
2019215114.tif 000006
【図５】
2019215114.tif 000007
【図６】
2019215114.tif 000008
【図７】
2019215114.tif 000009
【図８】
2019215114.tif 000010
【図９】
2019215114.tif 000011
【図１０】
2019215114.tif 000012
【図１１】
2019215114.tif 000013
【図１２】
2019215114.tif 000014
【図１３】
2019215114.tif 000015
【図１４】
2019215114.tif 000016
【図１５】
2019215114.tif 000017
【図１６】
2019215114.tif 000018